(57)【要約】【課題】ノイズフィルタを導電路に位置決めする。【解決手段】ノイズフィルタＡは、導電路Ｗａを挿通させる挿通孔１２を有するフェライトコア１０と、一対のケース構成体２１を合体して構成され、フェライトコア１０を収容するフィルタケース２０と、一対のケース構成体２１に突出形態で形成され、一対のケース構成体２１が合体した状態では導電路Ｗａを挟むように配される一対のアーム部２８と、一対のアーム部２８の外面に形成されたネジ構成部２９と、一対のネジ構成部２９にねじ込まれることで、一対のアーム部２８を導電路Ｗａの外周に押圧した状態に保持する保持部材３４とを備える。【選択図】図１
2016092569.tif 000002
【特許請求の範囲】
【請求項１】
導電路を挿通させる挿通孔を有するフェライトコアと、
一対のケース構成体を合体して構成され、前記フェライトコアを収容するフィルタケースと、
前記一対のケース構成体に突出形態で形成され、前記一対のケース構成体が合体した状態では前記導電路を挟むように配される一対のアーム部と、
前記一対のアーム部の外面に形成されたネジ構成部と、
一対の前記ネジ構成部にねじ込まれることで、前記一対のアーム部を前記導電路の外周に押圧した状態に保持する保持部材とを備えていることを特徴とするノイズフィルタ。
【請求項２】
前記保持部材を前記ネジ構成部にねじ込むことで、前記一対のケース構成体が合体状態にロックされるようになっていることを特徴とする請求項１記載のノイズフィルタ。
【請求項３】
前記保持部材に、前記導電路の通過を許容する切欠部が形成されていることを特徴とする請求項１又は請求項２記載のノイズフィルタ。
【請求項４】
ワイヤーハーネスをコルゲートチューブで包囲した形態の前記導電路に適用されるものであって、
前記保持部材には、前記コルゲートチューブの外周に形成されている複数の溝部のうちいずれかの前記溝部に対して選択的に係止可能な係止部が形成されていることを特徴とする請求項１ないし請求項３のいずれか１項に記載のノイズフィルタ。
【発明の詳細な説明】
【技術分野】
【０００１】
本発明は、ノイズフィルタに関するものである。
【背景技術】
【０００２】
特許文献１には、導電路を挿通させる挿通孔を有するフェライトコアと、一対のケース構成体を合体させてフェライトコアを包囲するフィルタケースとを備えたノイズフィルタが開示されている。一対のケース構成体には、導電路の外周に沿うように突出させたアーム部が形成されている。挿通孔に導電路を挿通して一対のケース構成体を合体した後、粘着テープをアーム部と導電路とに巻き付けると、ノイズフィルタが導電路に固定されるようになっている。
【先行技術文献】
【特許文献】
【０００３】
【特許文献１】特開２０１４−１１０３４３号公報
【発明の概要】
【発明が解決しようとする課題】
【０００４】
この種のノイズフィルタは、導電路の外径にバラツキが生じることを勘案し、挿通孔の内径を導電路の外径よりも少し大きい寸法に設定している。そのため、挿通孔に導電路を挿通させてケース構成体を合体してから、粘着テープを巻き付けるまでの間に、ノイズフィルタが導電路に対して軸線方向に相対移動する可能性がある。特に、導電路のうち挿通孔に挿通される領域が、上下方向や水平に対して斜め方向にとなっている場合は、ノイズフィルタが滑り落ちる虞があるため、粘着テープを巻き付ける際には、ノイズフィルタを手で支えておかなければならず、作業性が悪い。
【０００５】
本発明は上記のような事情に基づいて完成されたものであって、ノイズフィルタを導電路に位置決めすることを目的とする。
【課題を解決するための手段】
【０００６】
本発明は、
導電路を挿通させる挿通孔を有するフェライトコアと、
一対のケース構成体を合体して構成され、前記フェライトコアを収容するフィルタケースと、
前記一対のケース構成体に突出形態で形成され、前記一対のケース構成体が合体した状態では前記導電路を挟むように配される一対のアーム部と、
前記一対のアーム部の外面に形成されたネジ構成部と、
一対の前記ネジ構成部にねじ込まれることで、前記一対のアーム部を前記導電路の外周に押圧した状態に保持する保持部材とを備えているところに特徴を有する。
【発明の効果】
【０００７】
保持部材をネジ構成部にねじ込むと、一対のアーム部が導電路の外周を押圧する状態に保持されるので、ノイズフィルタは、導電路に対する軸線方向への相対変位を規制され、位置決め状態に保持される。
【図面の簡単な説明】
【０００８】
【図１】実施例１のノイズフィルタを導電路に取り付けた状態をあらわす正断面図
【図２】ノイズフィルタの分解状態をあらわす正断面図
【図３】図１のＸ−Ｘ線断面図
【図４】実施例２のノイズフィルタを導電路に取り付けた状態をあらわす正断面図
【図５】フィルタケースとフェライトコアの分解状態をあらわす正断面図
【図６】２つの保持部材の一部切欠正面図
【図７】図４のＹ−Ｙ線断面図
【図８】参考例のノイズフィルタを導電路に取り付けた状態をあらわす正断面図
【発明を実施するための形態】
【０００９】
本発明のノイズフィルタは、前記保持部材を前記ネジ構成部にねじ込むことで、前記一対のケース構成体が合体状態にロックされるようになっていてもよい。この構成によれば、ケース構成体を合体状態にロックする手段をケース構成体に形成する場合に比べると、ケース構成体の形状の簡素化を図ることができる。
【００１０】
本発明のノイズフィルタは、前記保持部材に、前記導電路の通過を許容する切欠部が形成されていてもよい。この構成によれば、導電路におけるノイズフィルタの取付け位置が導電路の端部から離れている場合でも、保持部材に導電路を挿通させる作業を容易に行うことができる。
【００１１】
本発明のノイズフィルタは、ワイヤーハーネスをコルゲートチューブで包囲した形態の前記導電路に適用されるものであって、前記保持部材には、前記コルゲートチューブの外周に形成されている複数の溝部のうちいずれかの前記溝部に対して選択的に係止可能な係止部が形成されていてもよい。この構成によれば、溝部と係止部との係止により、導電路に対するノイズフィルタの位置ずれが確実に防止される。
【００１２】
＜実施例１＞
以下、本発明を具体化した実施例１を図１〜図３を参照して説明する。本実施例１のノイズフィルタＡは、１本の円形断面の電線、又は複数本の電線（図示省略）を束ねた円形断面のワイヤーハーネスからなる導電路Ｗａに適用される。ノイズフィルタＡを、導電路Ｗａに対し同軸状に包囲するように取り付けると、導電路Ｗａのノイズがフェライトコア１０によって除去される。
【００１３】
尚、以下の説明において、上下方向については、図１〜３にあらわれる向きを、そのまま上方、下方と定義する。左右方向については、図１，２にあらわれる向きを、そのまま左方、右方と定義する。導電路ＷａのうちノイズフィルタＡが取り付けられる領域の中心軸を「軸線」と定義する。この軸線は、左右方向を向いている。
【００１４】
ノイズフィルタＡは、円環形をなすフェライトコア１０と、フェライトコア１０を収容するフィルタケース２０と、左右一対の保持部材３４とを備えている。フェライトコア１０は、半円筒形をなす上下一対のコア構成体１１を合体して構成される。フェライトコア１０の中心には、導電路Ｗａを挿通するための円形の挿通孔１２が同軸状に形成されている。挿通孔１２（フェライトコア１０）の内径は、導電路Ｗａの外径より少し大きい寸法に設定されている。
【００１５】
フィルタケース２０は、合成樹脂製からなる上下一対のケース構成体２１によって構成されている。一対のケース構成体２１を合体させると、全体として導電路Ｗａの軸線と同軸状の円筒形をなすフィルタケース２０が構成される。フィルタケース２０は、フェライトコア１０を収容するための円筒形のコア収容部２２と、導電路Ｗａを上下に挟み付けて保持するための一対の円筒形の挟持部２３とを備えて構成されている。コア収容部２２の軸線方向（左右方向）における両端部には、円環形をなす外壁部２４が形成されている。挟持部２３は、外壁部２４の中心孔の開口縁から外方（左方又は右方）へ同軸状に突出した形態である。挟持部２３の内径は、導電路Ｗａの外径と同じか、それよりも少し小さい寸法に設定されている。
【００１６】
ケース構成体２１は、半円筒形をなす周壁部２５と、半円弧形をなす左右一対の端壁部２６と、半円筒形をなす左右一対のアーム部２８と備えている。一対の端壁部２６は、周壁部２５の軸線方向両端縁から径方向内向きに突出し、外壁部２４を構成する。一対のケース構成体２１を合体すると、一対の周壁部２５の周方向における両端縁同士が当接するとともに、一対の端壁部２６の周方向における両端縁同士が当接する。合体状態では、一対の周壁部２５と二対の端壁部２６とによってコア収容部２２が構成される。そして、コア収容部２２の内部には、フェライトコア１０を収容するための収容空間２７が構成される。
【００１７】
一対のアーム部２８は、コア収容部２２と同軸状をなし、一対の端壁部２６の内周縁から軸線方向において外方（収容空間２７とは反対方向）へ片持ち状に突出した形態である。一対のケース構成体２１を上下に合体させると、軸線方向左側に位置する上下一対のアーム部２８によって、左側の挟持部２３が構成され、軸線方向右側に位置する上下一対のアーム部２８によって、右側の挟持部２３が構成される。
【００１８】
各アーム部２８の外周面には、フィルタケース２０と同軸状のネジ構成部２９が形成されている。上下で対をなすアーム部２８のネジ構成部２９は、ピッチや有効径等が同一である。したがって、一対のアーム部２８を合体させると、挟持部２３の外周に１つの雄ネジ部３０が構成される。この雄ネジ部３０の有効径は、導電路Ｗａの外径（挟持部２３の内径）に対して充分に大きい寸法に設定されている。これは、後述する保持部材３４の内径寸法と、切欠部３６の周方向の開口寸法との寸法差を大きく確保するためである。
【００１９】
また、雄ネジ部３０の有効径と挟持部２３の内径との寸法差を大きく確保するため、アーム部２８の径方向の肉厚寸法が大きくなっている。つまり、上下で対をなすアーム部２８を合体させたときの、両アーム部２８の合せ面３１における径方向の寸法が大きい。そこで、この合せ面３１の広さを利用し、各アーム部２８における一方の合せ面３１には、位置決め突起３２が形成され、他方の合せ面３１には位置決め凹部３３が形成されている。つまり、１つのケース構成体２１には２つの位置決め突起３２と２つの位置決め凹部３３が形成されている。
【００２０】
そして、一対のアーム部２８が合体する過程では、上下に対向する２つの合せ面３１のうち一方の合せ面３１に形成されている位置決め突起３２と、他方の合せ面３１に形成されている位置決め凹部３３とが嵌合するようになっている。この位置決め突起３２と位置決め凹部３３の嵌合は、前後方向及び左右方向に離間した４箇所で行われる。配されることになる。この嵌合により、上下一対のケース構成体２１が、合体の過程で前後方向及び左右方向に位置決めされるので、正しい位置関係で合体される。
【００２１】
保持部材３４は、合成樹脂からなり、軸線方向と平行に見たときに円弧形をなしている。保持部材３４は、軸線方向の寸法に比べて外径寸法の大きい形状である。保持部材３４の内周には、雌ネジ部３５が形成されている。雌ネジ部３５のピッチと有効径は、雄ネジ部３０と同じである。したがって、保持部材３４は、雄ネジ部３０（挟持部２３の外周）にねじ込むことができるようになっている。また、保持部材３４の外周には、作業者が保持部材３４を掴んで回転する際の作業性向上を図るため、セレーション等の滑り止め部（図示省略）が形成されている。
【００２２】
保持部材３４には、その内周から外周に連通する切欠部３６が形成されている。切欠部３６は、保持部材３４の軸線方向における全領域に亘って形成されている。切欠部３６の周方向における開口寸法は、導電路Ｗａの外径と同じかそれよりも少し大きい寸法に設定されている。したがって、導電路Ｗａに対しその径方向に保持部材３４を接近させ、切欠部３６に導電路Ｗａを通すことにより、導電路Ｗａを切欠部３６内に収容することが可能である。また、切欠部３６の周方向の開口寸法は、保持部材３４の内径寸法よりも充分小さく設定している。これにより、雌ネジ部３５の周長は、半周以上に亘る充分な長さが確保されている。
【００２３】
次に、本実施例１のノイズフィルタＡの組付けと、ノイズフィルタＡの導電路Ｗａへの取り付けの手順を説明する。まず、各ケース構成体２１内に、夫々、コア構成体１１を収容し、一方のケース構成体２１のコア構成体１１に導電路Ｗａを載せ、その上から他方のケース構成体２１とコア構成体１１を被せるように合体させる。合体状態では、両ケース構成体２１によりフィルタケース２０が構成されるとともに、両コア構成体１１がフィルタケース２０内で合体してフェライトコア１０が構成される。同時に、フェライトコア１０の挿通孔１２に導電路Ｗａが挿通された状態となる。この状態では、両ケース構成体２１は合体状態にロックされていないので、両ケース構成体２１が分離しないように手で抑えておく。
【００２４】
この後、左右両挟持部２３の雄ネジ部３０に、夫々、保持部材３４の雌ネジ部３５をねじ込む。このとき、上下で対向するアーム部２８の合せ面３１が離れていれば、両アーム部２８を密着させる。また、挟持部２３の内径が導電路Ｗａの外径より小さければ、導電路Ｗａの外周が縮径変形する。雄ネジ部３０に保持部材３４をねじ込むと、挟持部２３を構成するアーム部２８は離間せずに、導電路Ｗａの外周面に対し上下から挟むように押圧した状態に保持される。この押圧力により生じる導電路Ｗａとアーム部２８との間の摩擦により、ノイズフィルタＡは導電路Ｗａに対して軸線方向への相対移動を規制される。以上により、ノイズフィルタＡの組付け作業と、ノイズフィルタＡに導電路Ｗａを挿通させる作業が完了する。
【００２５】
本実施例１のノイズフィルタＡは、導電路Ｗａを挿通させる挿通孔１２を有するフェライトコア１０と、一対のケース構成体２１を合体して構成され、フェライトコア１０を収容するフィルタケース２０とを備える。一対のケース構成体２１には、一対のケース構成体２１が合体した状態で導電路Ｗａを挟むように配される一対のアーム部２８が突出形成されている。一対のアーム部２８の外面にはネジ構成部２９が形成されており、一対のネジ構成部２９に保持部材３４をねじ込むことで、一対のアーム部２８が導電路Ｗａの外周を押圧した状態に保持される。このように、ノイズフィルタＡは、導電路Ｗａに対する軸線方向への相対変位を規制され、位置決め状態に保持される。
【００２６】
また、保持部材３４をネジ構成部２９にねじ込むと、両アーム部２８が離間しないように固定されるので、一対のケース構成体２１が合体状態にロックされる。この構成によれば、ケース構成体２１を合体状態にロックする手段をケース構成体２１に形成する場合に比べると、ケース構成体２１の形状の簡素化を図ることができる。また、保持部材３４には、導電路Ｗａの通過を許容する切欠部３６が形成されている。この構成によれば、導電路ＷａにおけるノイズフィルタＡの取付け位置が導電路Ｗａの端部から離れている場合でも、保持部材３４に導電路Ｗａを挿通させる作業を容易に行うことができる。
【００２７】
＜実施例２＞
次に、本発明を具体化した実施例２を図４〜図７を参照して説明する。本実施例２のノイズフィルタＢは、複数本の電線（図示省略）を束ねたワイヤーハーネスＨをコルゲートチューブＴで包囲した形態の導電路Ｗｂに適用される。ノイズフィルタＢを、導電路Ｗｂに対し同軸状に包囲するように取り付けると、導電路Ｗｂのノイズがフェライトコア１０によって除去される。
【００２８】
尚、以下の説明において、上下方向については、図４〜７にあらわれる向きを、そのまま上方、下方と定義する。左右方向については、図４，５にあらわれる向きを、そのまま左方、右方と定義する。導電路ＷｂのうちノイズフィルタＢが取り付けられる領域の中心軸を「軸線」と定義する。この軸線は、左右方向を向いている。
【００２９】
ノイズフィルタＢは、円環形をなすフェライトコア１０と、フェライトコア１０を収容するフィルタケース４０と、左右一対の保持部材６０とを備えている。フェライトコア１０は、半円筒形をなす上下一対のコア構成体１１を合体して構成される。フェライトコア１０の中心には、導電路Ｗｂを挿通するための円形の挿通孔１２が同軸状に形成されている。挿通孔１２（フェライトコア１０）の内径は、導電路Ｗｂの外径より少し大きい寸法に設定されている。
【００３０】
フィルタケース４０は、合成樹脂製からなる上下一対のケース構成体４１によって構成されている。一対のケース構成体４１を合体させると、全体として導電路Ｗｂの軸線と同軸状の円筒形をなすフィルタケース４０が構成される。フィルタケース４０は、フェライトコア１０を収容するための円筒形のコア収容部４２と、導電路Ｗｂを上下に挟み付けて保持するための一対の円筒形の挟持部４３とを備えて構成されている。コア収容部４２の軸線方向（左右方向）における両端部には、円環形をなす外壁部４４が形成されている。挟持部４３は、外壁部４４の中心孔の開口縁から外方（左方又は右方）へ同軸状に突出した形態である。挟持部４３の内径は、導電路Ｗｂの外径と同じか、それよりも少し小さい寸法に設定されている。
【００３１】
ケース構成体４１は、半円筒形をなす周壁部４５と、半円弧形をなす左右一対の端壁部４６と、半円筒形をなす左右一対のアーム部４８と備えている。一対の端壁部４６は、周壁部４５の軸線方向両端縁から径方向内向きに突出し、外壁部４４を構成する。一対のケース構成体４１を合体すると、一対の周壁部４５の周方向における両端縁同士が当接するとともに、一対の端壁部４６の周方向における両端縁同士が当接する。合体状態では、一対の周壁部４５と二対の端壁部４６とによってコア収容部４２が構成される。そして、コア収容部４２の内部には、フェライトコア１０を収容するための収容空間４７が構成される。
【００３２】
一対のアーム部４８は、コア収容部４２と同軸状をなし、一対の端壁部４６の内周縁から軸線方向において外方（収容空間４７とは反対方向）へ片持ち状に突出した形態である。一対のケース構成体４１を上下に合体させると、軸線方向左側に位置する上下一対のアーム部４８によって、左側の挟持部４３が構成され、軸線方向右側に位置する上下一対のアーム部４８によって、右側の挟持部４３が構成される。
【００３３】
各アーム部４８の外周面には、フィルタケース４０と同軸状のネジ構成部４９が形成されている。上下で対をなすアーム部４８のネジ構成部４９は、ピッチや有効径等が同一である。したがって、一対のアーム部４８を合体させると、挟持部４３の外周に１つの雄ネジ部５０が構成される。この雄ネジ部５０の有効径は、導電路Ｗｂの外径（挟持部４３の内径）に対して充分に大きい寸法に設定されている。これは、後述する保持部材６０の内径寸法と、切欠部６５の周方向の開口寸法との寸法差を大きく確保するためである。
【００３４】
また、雄ネジ部５０の有効径と挟持部４３の内径との寸法差を大きく確保するため、アーム部４８の径方向の肉厚寸法が大きくなっている。つまり、上下で対をなすアーム部４８を合体させたときの、両アーム部４８の合せ面における径方向の寸法が大きい。そこで、この合せ面の広さを利用し、各アーム部４８における一方の合せ面には、位置決め突起５２が形成され、他方の合せ面には位置決め凹部５３が形成されている。つまり、１つのケース構成体４１には２つの位置決め突起５２と２つの位置決め凹部５３が形成されている。
【００３５】
そして、一対のアーム部４８が合体する過程では、上下に対向する２つの合せ面のうち一方の合せ面に形成されている位置決め突起５２と、他方の合せ面に形成されている位置決め凹部５３とが嵌合するようになっている。この位置決め突起５２と位置決め凹部５３の嵌合は、前後方向及び左右方向に離間した４箇所で行われる。配されることになる。この嵌合により、上下一対のケース構成体４１が、合体の過程で前後方向及び左右方向に位置決めされるので、正しい位置関係で合体される。
【００３６】
保持部材６０は、合成樹脂からなり、軸線方向と平行に見たときに円弧形をなしている。保持部材６０は、本体部６１と、本体部６１の軸線方向なおける一方の端縁部から径方向内向きに壁状に突出した形態の位置決め部６２とから構成されている。本体部６１の内周には、雌ネジ部６３が形成されている。雌ネジ部６３のピッチと有効径は、雄ネジ部５０と同じである。したがって、保持部材６０は、雄ネジ部５０（挟持部４３の外周）にねじ込むことができるようになっている。
【００３７】
尚、保持部材６０の外周には、作業者が保持部材６０を掴んで回転する際の作業性向上を図るため、セレーション等の滑り止め部（図示省略）が形成されている。位置決め部６２の内周には、コルゲートチューブＴの外周に形成されている複数の溝部Ｇのうちいずれかの溝部Ｇに選択的に係止される係止部６４が形成されている。
【００３８】
保持部材６０には、その内周から外周に連通する切欠部６５が形成されている。切欠部６５は、保持部材６０の軸線方向における全領域に亘って形成されている。つまり、切欠部６５は、本体部６１と位置決め部６２の両方に形成されている。切欠部６５の周方向における開口寸法は、導電路Ｗｂの外径と同じかそれよりも少し大きい寸法に設定されている。したがって、導電路Ｗｂに対しその径方向に保持部材６０を接近させ、切欠部６５に導電路Ｗｂを通すことにより、導電路Ｗｂを切欠部６５内に収容することが可能である。また、切欠部６５の周方向の開口寸法は、保持部材６０の内径寸法よりも充分小さく設定している。これにより、雌ネジ部６３の周長は、半周以上に亘る充分な長さが確保されている。
【００３９】
次に、本実施例２のノイズフィルタＢの組付けと、ノイズフィルタＢの導電路Ｗｂへの取り付けの手順を説明する。まず、各ケース構成体４１内に、夫々、コア構成体１１を収容し、一方のケース構成体４１のコア構成体１１に導電路Ｗｂを載せ、その上から他方のケース構成体４１とコア構成体１１を被せるように合体させる。合体状態では、両ケース構成体４１によりフィルタケース４０が構成されるとともに、両コア構成体１１がフィルタケース４０内で合体してフェライトコア１０が構成される。同時に、フェライトコア１０の挿通孔１２に導電路Ｗｂが挿通された状態となる。この状態では、両ケース構成体４１は合体状態にロックされていないので、両ケース構成体４１が分離しないように手で抑えておく。
【００４０】
この後、左右両挟持部４３の雄ネジ部５０に、夫々、保持部材６０の雌ネジ部６３をねじ込む。このとき、上下で対向するアーム部４８の合せ面が離れていれば、両アーム部４８を密着させる。また、挟持部４３の内径が導電路Ｗｂの外径より小さければ、導電路Ｗｂの外周が縮径変形する。雄ネジ部５０に保持部材６０をねじ込むと、挟持部４３を構成するアーム部４８は離間せずに、導電路Ｗｂの外周面に対し上下から挟むように押圧した状態に保持される。この押圧力により生じる導電路Ｗｂとアーム部４８との間の摩擦により、ノイズフィルタＢは導電路Ｗｂに対して軸線方向への相対移動を規制される。以上により、ノイズフィルタＢの組付け作業と、ノイズフィルタＢに導電路Ｗｂを挿通させる作業が完了する。
【００４１】
本実施例２のノイズフィルタＢは、導電路Ｗｂを挿通させる挿通孔１２を有するフェライトコア１０と、一対のケース構成体４１を合体して構成され、フェライトコア１０を収容するフィルタケース４０とを備える。一対のケース構成体４１には、一対のケース構成体４１が合体した状態で導電路Ｗｂを挟むように配される一対のアーム部４８が突出形成されている。一対のアーム部４８の外面にはネジ構成部４９が形成されており、一対のネジ構成部４９に保持部材６０をねじ込むことで、一対のアーム部４８が導電路Ｗｂの外周を押圧した状態に保持される。このように、ノイズフィルタＢは、導電路Ｗｂに対する軸線方向への相対変位を規制され、位置決め状態に保持される。
【００４２】
また、保持部材６０をネジ構成部４９にねじ込むと、両アーム部４８が離間しないように固定されるので、一対のケース構成体４１が合体状態にロックされる。この構成によれば、ケース構成体４１を合体状態にロックする手段をケース構成体４１に形成する場合に比べると、ケース構成体４１の形状の簡素化を図ることができる。また、保持部材６０には、導電路Ｗｂの通過を許容する切欠部６５が形成されている。この構成によれば、導電路ＷｂにおけるノイズフィルタＢの取付け位置が導電路Ｗｂの端部から離れている場合でも、保持部材６０に導電路Ｗｂを挿通させる作業を容易に行うことができる。
【００４３】
また、本実施例２のノイズフィルタＢは、ワイヤーハーネスＨをコルゲートチューブＴで包囲した形態の導電路Ｗｂに適用されるものである。そこで、コルゲートチューブＴの外周には複数の溝部Ｇが軸線方向に並ぶように形成されている形態に着目し、保持部材６０には、複数の溝部Ｇのうちいずれかの溝部Ｇに対して選択的に係止可能な係止部６４を形成した。この構成によれば、溝部Ｇと係止部６４との係止により、導電路Ｗｂに対するノイズフィルタＢの位置ずれが確実に防止される。
【００４４】
＜参考例１＞
次に、本発明に関する参考例１を図８を参照して説明する。本参考例１のノイズフィルタＣは、実施例２と同じく、複数本の電線（図示省略）を束ねたワイヤーハーネスＨをコルゲートチューブＴで包囲した形態の導電路Ｗｂに適用される。ノイズフィルタＣを、導電路Ｗｂに対し同軸状に包囲するように取り付けると、導電路Ｗｂのノイズがフェライトコア１０によって除去される。
【００４５】
尚、以下の説明において、上下方向については、図８にあらわれる向きを、そのまま上方、下方と定義する。左右方向については、図８にあらわれる向きを、そのまま左方、右方と定義する。導電路ＷｂのうちノイズフィルタＣが取り付けられる領域の中心軸を「軸線」と定義する。この軸線は、左右方向を向いている。
【００４６】
ノイズフィルタＣは、円環形をなすフェライトコア１０と、フェライトコア１０を収容するフィルタケース７０とを備えている。フェライトコア１０は、半円筒形をなす上下一対のコア構成体１１を合体して構成される。フェライトコア１０の中心には、導電路Ｗｂを挿通するための円形の挿通孔１２が同軸状に形成されている。挿通孔１２（フェライトコア１０）の内径は、導電路Ｗｂの外径より少し大きい寸法に設定されている。
【００４７】
フィルタケース７０は、合成樹脂製からなる上下一対のケース構成体７１によって構成されている。一対のケース構成体７１を合体させると、全体として導電路Ｗｂの軸線と同軸状の円筒形をなすフィルタケース７０が構成される。フィルタケース７０は、フェライトコア１０を収容するための円筒形のコア収容部７２と、導電路Ｗｂに係止するための一対の円筒形の位置決め部７３とを備えて構成されている。
【００４８】
コア収容部７２の軸線方向（左右方向）における両端部には、円環形をなす外壁部７４が形成されている。位置決め部７３は、外壁部７４の中心孔の開口縁から外方（左方又は右方）へ同軸状に突出した形態である。位置決め部７３の内周には、コルゲートチューブＴの外周に形成されている複数の溝部Ｇのうちいずれかの溝部Ｇに係止可能な係止部７５が形成されている。
【００４９】
ケース構成体７１は、半円筒形をなす周壁部７６と、半円弧形をなす左右一対の端壁部７７と、半円筒形をなす左右一対のアーム部７８と備えている。一対の端壁部７７は、周壁部７６の軸線方向両端縁から径方向内向きに突出し、外壁部７４を構成する。一対のケース構成体７１を合体すると、一対の周壁部７６の周方向における両端縁同士が当接するとともに、一対の端壁部７７の周方向における両端縁同士が当接する。合体状態では、一対の周壁部７６と二対の端壁部７７とによってコア収容部７２が構成される。そして、コア収容部７２の内部には、フェライトコア１０を収容するための収容空間７９が構成される。
【００５０】
一対のアーム部７８は、コア収容部７２と同軸状をなし、一対の端壁部７７の内周縁から軸線方向において外方（収容空間７９とは反対方向）へ片持ち状に突出した形態である。一対のケース構成体７１を上下に合体させると、軸線方向左側に位置する上下一対のアーム部７８によって、左側の位置決め部７３が構成され、軸線方向右側に位置する上下一対のアーム部７８によって、右側の位置決め部７３が構成される。そして、各アーム部７８の内周には、係止部７５が形成されている。また、上下で対をなすアーム部７８を合体させたときの、両アーム部７８の合せ面には、実施例１，２と同様、上下一対のケース構成体７１を合体過程で前後方向及び左右方向に位置決めするための手段として、位置決め突起８０と位置決め凹部８１が形成されている。
【００５１】
次に、本参考例１のノイズフィルタＣの組付けと、ノイズフィルタＣの導電路Ｗｂへの取り付けの手順を説明する。まず、各ケース構成体７１内に、夫々、コア構成体１１を収容する。そして、一方のケース構成体７１のコア構成体１１に導電路Ｗｂを載せ、その導電路ＷｂのコルゲートチューブＴの外周に形成されている溝部Ｇを、一方のケース構成体７１の係止部７５に係止させる。そして、その上から他方のケース構成体７１とコア構成体１１を被せるように合体させる。このときも、他方のケース構成体７１の係止部７５を溝部Ｇに係止させる。
【００５２】
両ケース構成体７１が合体すると、フィルタケース７０が構成されるとともに、両コア構成体１１がフィルタケース７０内で合体してフェライトコア１０が構成される。同時に、フェライトコア１０の挿通孔１２に導電路Ｗｂが挿通された状態となる。この状態では、両ケース構成体７１は合体状態にロックされていないので、両ケース構成体７１が分離しないように手で抑えておく。このようにすれば、ノイズフィルタＣが導電路Ｗｂに対して軸線方向へ位置ずれすることを防止できる。
【００５３】
合体後は、ケース構成体７１を分離しないように手で押さえた状態で、位置決め部７３（アーム部７８）を含むフィルタケース７０全体の外周と、導電路Ｗｂのうちフィルタケース７０から突出している部分とに亘り、粘着テープ８３を巻き付ける。これにより、位置決め部７３を構成するアーム部７８が離間せずに、導電路Ｗｂの係止部７５がコルゲートチューブＴの係止部７５に係止した状態に保持される。この係止部７５と溝部Ｇとの係止作用により、ノイズフィルタＣは導電路Ｗｂに対して軸線方向への相対移動を規制される。以上により、ノイズフィルタＣの組付け作業と、ノイズフィルタＣに導電路Ｗｂを挿通させる作業が完了する。
【００５４】
＜他の実施例＞
本発明は上記記述及び図面によって説明した実施例に限定されるものではなく、例えば次のような実施例も本発明の技術的範囲に含まれる。
（１）上記実施例１，２では、保持部材をネジ構成部にねじ込むことで一対のケース構成体を合体状態にロックするようにしたが、専用のロック手段によって一対のケース構成体を合体状態にロックしてもよい。
（２）上記実施例１，２では、保持部材に、導電路を通過を許容する切欠部を形成したが、保持部材は、全周に亘って繋がった形態であってもよい。この場合、保持部材は、導電路の端部に外嵌した後、ノイズフィルタの取付け位置まで軸線方向にスライドさせればよい。
（３）上記実施例１，２では、１つのフェライトコアに１つの挿通孔が形成されているが、１つのフェライトコアに複数の挿通孔を形成してもよい。
（４）上記実施例１，２では、フィルタケースが別体部品である一対のケース構成体で構成されているが、フィルタケースは、一対のケース構成体をヒンジで連結した単一部品であってもよい。
（５）上記実施例１，２では、フェライトコアが２つのコア構成体で構成されているが、フェライトコアは円環形をなす単一部品であってもよい。
（６）上記実施例１では、保持部材の雌ネジ部の内径を一定としたが、雌ネジ部の内径をテーパ状とし、保持部材をネジ構成部にねじ込むのに伴い、一対のアーム部が導電路の外周に食い込むようにしてもよい。
（７）上記実施例２において、アーム部の内周にコルゲートチューブの溝部に進入する突起を形成してもよい。
（８）上記実施例１，２では、ケース構成体の両端部に一対ずつアーム部を形成したが、ケース構成体の一方の端部と他方の端部に、夫々、アーム部を１つずつ形成し、一対のアーム部が、左右方向に間隔を空けて対をなす形態としてもよい。
【符号の説明】
【００５５】
Ａ…ノイズフィルタ
Ｗａ…導電路
１０…フェライトコア
１２…挿通孔
２０…フィルタケース
２１…ケース構成体
２８…アーム部
２９…ネジ構成部
３４…保持部材
３６…切欠部
Ｂ…ノイズフィルタ
Ｗｂ…導電路
Ｈ…ワイヤーハーネス
Ｔ…コルゲートチューブ
Ｇ…溝部
４０…フィルタケース
４１…ケース構成体
４８…アーム部
４９…ネジ構成部
６０…保持部材
６４…係止部
６５…切欠部
【図１】
2016092569.tif 000003
【図２】
2016092569.tif 000004
【図３】
2016092569.tif 000005
【図４】
2016092569.tif 000006
【図５】
2016092569.tif 000007
【図６】
2016092569.tif 000008
【図７】
2016092569.tif 000009
【図８】
2016092569.tif 000010